(57)【要約】【課題】長尺の配電ダクトを連結する配電ダクト連結器において、配電ダクト同士の角度が任意に設定でき、空間レイアウトに応じたディスプレーが容易にできる。また、配電ダクトの施工が容易であり、デザイン面で配線ダクトと配電ダクト連結器との一体感が表現できる。【解決手段】配電ダクト１の端部開口１ｅに挿入される挿入部４ａを先端側に有する１対のアーム部４と、これら１対のアーム部４を角度自在に連結する関節部５と、角度自在に電気的に中継する導電性の中継路６とを備え、中継路６は、アーム部４ごとに２つずつ設けられた導電路７と、導電部１ｂに電気的に接触する接触端子８と、２つのアーム部４の対応する導電路７同士をそれぞれ角度自在に電気的に接続する角度自在路９とを有している。【選択図】図３
2008130317.tif 000002
【特許請求の範囲】
【請求項１】
２つの長尺の配電ダクトを連結するとともに、これら２つの配電ダクトの内側に設けられた相対向する１対の長尺の導電部同士を電気的に中継する配電ダクト連結器であって、
それぞれの配電ダクトの端部に設けられた端部開口に挿入される挿入部を先端側に有する１対のアーム部と、
これら１対のアーム部をアーム部の基端側において角度自在に連結する関節部と、
この関節部の角度に応じて２つの配電ダクトの対応する導電部を角度自在に電気的に中継する導電性の中継路と
を備え、
この中継路は、
アーム部ごとに２つずつ設けられた導電路と、
挿入部ごとに２つの導電路の先端側にそれぞれ設けられ、配電ダクトの導電部に電気的に接触する接触端子と、
関節部においてそれぞれの導電路の基端側に設けられ、２つのアーム部の対応する導電路同士をそれぞれ角度自在に電気的に接続する角度自在路とを有していることを特徴とする配電ダクト連結器。
【請求項２】
上記関節部は、２つのアーム部それぞれの基端に連設された円盤部材を備え、
これら２つの円盤部材が、円盤部材の概ね中心に設けられた軸ピンの周りに回動自在に連結されるように構成され、
上記円盤部材の直径は、アーム部の幅以下の大きさになるように設定されるとともに、
上記アーム部は、アーム部同士の角度が所定の角度になった状態で互いに当接する当接面をアーム部の基端に有していることを特徴とする請求項１に記載の配電ダクト連結器。
【請求項３】
上記関節部は、２つのアーム部それぞれの基端に連設された円盤部材を備え、
これら２つの円盤部材が、円盤部材の概ね中心に設けられた軸ピンの周りに回動自在に連結されるように構成され、
上記円盤部材の直径は、アーム部の幅以上の大きさになるように設定されるとともに、
上記円盤部材の直径とアーム部の幅との比は、アーム部同士の角度が所定の角度になった状態でアーム部の基端同士が互いに当接するように設定されていることを特徴とする請求項１または請求項２のいずれか１項に記載の配電ダクト連結器。
【請求項４】
上記２つの角度自在路は、接続する導電路の基端同士を電気的に接続するフレキシブルリード線をそれぞれ備えていることを特徴とする請求項１ないし請求項３のいずれか１項に記載の配電ダクト連結器。
【請求項５】
上記２つの角度自在路は、接続される導電路の基端のそれぞれに設けられ、上記円盤部材の軸ピンの周りに回動自在な互いに重なる導電性の摺動板の組をそれぞれ備え、
一方の摺動板の組は、他方の摺動板の組から絶縁部材を介して電気的に絶縁されていることを特徴とする請求項２ないし請求項４のいずれか１項に記載の配電ダクト連結器。
【請求項６】
２つの配電ダクトの内側に設けられた長尺のアース部同士を電気的に中継するアース部連結部をさらに備え、
このアース連結部は、
アーム部ごとに１つずつ設けられたアース導電路と、
挿入部ごとにアース導電路の先端側にそれぞれ設けられ、配電ダクトの端部開口に挿入部を固定するビスを介して配電ダクトのアース部とアーム部のアース導電路とを電気的に接続するアース接触部と、
関節部においてそれぞれのアース導電路の基端側に設けられ、２つのアーム部の対応するアース導電路同士をそれぞれ角度自在に電気的に接続する角度自在アース路と、
を有していることを特徴とする請求項１ないし請求項５のいずれか１項に記載の配電ダクト連結器。
【請求項７】
全長にわたって開口部が設けられるように断面概ねコの字状に形成され、この断面概ねコの字状の相対向する２つの内面に導電部が設けられている長尺の配電ダクトであって、
いずれか一方の端部に請求項１ないし請求項６のいずれか１項に記載の配電ダクト連結器を備えたことを特徴とする配電ダクト。
【発明の詳細な説明】
【技術分野】
【０００１】
本発明は、２つの長尺の配電ダクトに設けられた導電部同士を電気的に中継する配電ダクト連結器とこのような配電ダクト連結器を備えた配電ダクトとに関するものである。
【背景技術】
【０００２】
従来、図１と図２とに示すような長尺の配電ダクトを連結するには、図１４〜図１６に示すような配電ダクト連結器が採用されていた。図１４は従来の配電ダクト連結器の一例を示す説明図であり、（ａ）は、連結角度が９０度になる配電ダクト連結器３２、（ｂ）は、連結角度が１８０度になる配電ダクト連結器４２をそれぞれ示している。また、図１５は連結角度が任意にできるフレキシブルカバーを備えた従来の配電ダクト連結器５２を示す説明図であり、図１６は連結角度が任意にできる関節部６２ａを備えた従来の配電ダクト連結器６２を示す説明図である。
【０００３】
図１４〜図１６に示すように、これらの配電ダクト連結器３２、４２、５２、６２は、それぞれの配電ダクト１（図１）の端部に設けられた端部開口に挿入される１対の挿入部３４ａ、４４ａ、５４ａ、６４ａを備えている。
【発明の開示】
【発明が解決しようとする課題】
【０００４】
しかしながら、上述の図１４の配電ダクト連結器３２、４２では、挿入部３４ａ、４４ａの角度が固定されているので、複数の配電ダクト１のさまざまなレイアウトを満足させるためには、その他の多種類の配電ダクト連結器が必要であった。その結果、空間レイアウトに応じたディスプレーを行うのが容易でなかった。
【０００５】
また、上述の図１５、図１６の配電ダクト連結器５２、６２では、連結角度が任意にできるフレキシブルカバー５２ａや関節部６２ａを備えているので１対の挿入部５４ａ、６４ａの角度が任意に設定できるが、配電ダクトの施工が容易でなく、特に、デザイン面で配線ダクト１と配電ダクト連結器５２、６２との一体感が表現できなかった。
【０００６】
また、図１６の配電ダクト連結器６２では、折り曲げていくとケーシングの部材が内部の配線と干渉するために連結角度に限界があり、９０度まで折り曲げることができなかった。
【０００７】
本発明は上記不具合に鑑みてなされたものであり、配電ダクト同士の角度が任意に設定でき、空間レイアウトに応じたディスプレーが容易にできる配電ダクト連結器およびこのような配電ダクト連結器を備えた配電ダクトを提供することを課題としている。
【０００８】
また、配電ダクトの施工が容易であり、デザイン面で配線ダクトと配電ダクト連結器との一体感が表現できるようになる配電ダクト連結器およびこのような配電ダクト連結器を備えた配電ダクトを提供することを課題としている。
【０００９】
なお、本願に記載する配電ダクト連結器および配電ダクトは、上述の図１０〜図１２に示すような配電ダクト連結器および配電ダクトの従来技術のいずれにも該当せず、出願人の知る限りでは本願出願に類する公知例が無いため、本出願の時点では開示すべき先行技術文献情報は保有していない。
【課題を解決するための手段】
【００１０】
上記課題を解決するための本発明にかかる配電ダクト連結器は、２つの長尺の配電ダクトを連結するとともに、これら２つの配電ダクトの内側に設けられた相対向する１対の長尺の導電部同士を電気的に中継する配電ダクト連結器であって、それぞれの配電ダクトの端部に設けられた端部開口に挿入される挿入部を先端側に有する１対のアーム部と、これら１対のアーム部をアーム部の基端側において角度自在に連結する関節部と、この関節部の角度に応じて２つの配電ダクトの対応する導電部を角度自在に電気的に中継する導電性の中継路とを備え、この中継路は、アーム部ごとに２つずつ設けられた導電路と、挿入部ごとに２つの導電路の先端側にそれぞれ設けられ、配電ダクトの導電部に電気的に接触する接触端子と、関節部においてそれぞれの導電路の基端側に設けられ、２つのアーム部の対応する導電路同士をそれぞれ角度自在に電気的に接続する角度自在路とを有していることを特徴とする配電ダクト連結器である。
【００１１】
本発明によれば、関節部が、１対のアーム部を角度自在に連結するとともに、導電性の中継路が、関節部の角度に応じて２つの配電ダクトの対応する導電部を角度自在に電気的に中継するので、配電ダクト同士の角度が任意に設定でき、1種類の配電ダクト連結器でほとんどのレイアウトを満足させることができる。その結果、空間レイアウトに応じたディスプレーが容易にできるようになる。
【００１２】
また、アーム部の先端側に設けられた挿入部をそれぞれの配電ダクトの端部に設けられた端部開口に挿入して配電ダクト同士を連結するので、配電ダクトの施工が容易であり、デザイン面で配線ダクトと配電ダクト連結器との一体感が表現できるようになる。
【００１３】
ここで、上記関節部は、２つのアーム部それぞれの基端に連設された円盤部材を備え、これら２つの円盤部材が、円盤部材の概ね中心に設けられた軸ピンの周りに回動自在に連結されるように構成され、上記円盤部材の直径は、アーム部の幅以下の大きさになるように設定されるとともに、上記アーム部は、アーム部同士の角度が所定の角度になった状態で互いに当接する当接面をアーム部の基端に有していることが好ましい。
【００１４】
このようにすれば、アーム部同士の角度が所定の角度になった状態で互いに当接する当接面がアーム部の基端に設けられているので、配電ダクト同士を所定の角度になった状態で連結することが容易になる結果、配電ダクトの施工がより容易になる。また、デザイン面で配線ダクトと配電ダクト連結器との一体感をより効果的に表現することができるようになる。
【００１５】
あるいは、上記円盤部材の直径は、アーム部の幅以上の大きさになるように設定されるとともに、上記円盤部材の直径とアーム部の幅との比は、アーム部同士の角度が所定の角度になった状態でアーム部の基端同士が互いに当接するように設定されるようにしてもよい。
【００１６】
このようにすれば、円盤部材の直径が、円盤部材の直径とアーム部の幅との比が、アーム部同士の角度が所定の角度になった状態でアーム部の基端同士が互いに当接するように設定されているので、配電ダクト同士を所定の角度になった状態で連結することが容易になる結果、配電ダクトの施工がより容易になる。また、デザイン面で配線ダクトと配電ダクト連結器との一体感をより効果的に表現することができるようになる。
【００１７】
また、上記２つの角度自在路は、接続する導電路の基端同士を電気的に接続するフレキシブルリード線をそれぞれ備えていることが好ましい。
【００１８】
このようにすれば、接続する導電路の基端同士をフレキシブルリード線で電気的に接続するという簡単な構成で角度自在路を実現することができる。
【００１９】
あるいは、上記２つの角度自在路は、接続される導電路の基端のそれぞれに設けられ、上記円盤部材の軸ピンの周りに回動自在な互いに重なる導電性の摺動板の組をそれぞれ備え、一方の摺動板の組は、他方の摺動板の組から絶縁部材を介して電気的に絶縁されているようにしてもよい。
【００２０】
このようにすれば、円盤部材の軸ピンの周りに回動自在な互いに重なる導電性の摺動板を設けるという簡単な構成で、金属疲労の無い信頼性の高い角度自在路を実現することができる。
【００２１】
また、この配電ダクト連結器は、２つの配電ダクトの内側に設けられた長尺のアース部同士を電気的に中継するアース部連結部をさらに備え、このアース連結部は、アーム部ごとに１つずつ設けられたアース導電路と、挿入部ごとにアース導電路の先端側にそれぞれ設けられ、配電ダクトの端部開口に挿入部を固定するビスを介して配電ダクトのアース部とアーム部のアース導電路とを電気的に接続するアース接触部と、関節部においてそれぞれのアース導電路の基端側に設けられ、２つのアーム部の対応するアース導電路同士をそれぞれ角度自在に電気的に接続する角度自在アース路とを有するように構成しても良い。
【００２２】
このようにすれば、アース部連結部のアース導電路と、アース接触部と、角度自在アース路とにより、２つの配電ダクトの内側に設けられた長尺のアース部同士を電気的に中継することができるので、電気器具の安全性をより高めることができるとともに、配電ダクトのアースの施工が容易となる。
【００２３】
また、上記課題を解決するための本発明にかかる配電ダクトは、全長にわたって開口部が設けられるように断面概ねコの字状に形成され、この断面概ねコの字状の相対向する２つの内面に導電部が設けられている長尺の配電ダクトであって、いずれか一方の端部に上記配電ダクト連結器を備えたことを特徴とする配電ダクトである。
【００２４】
本発明によれば、配電ダクト同士の角度が任意に設定でき、1種類の配電ダクト連結器でほとんどのレイアウトを満足させることができる。その結果、空間レイアウトに応じたディスプレーが容易にできるようになる。また、配電ダクトの施工が容易であり、デザイン面で配線ダクトと配電ダクト連結器との一体感が表現できるようになる。
【発明の効果】
【００２５】
以上説明したように、本発明によれば、配電ダクト同士の角度が任意に設定でき、1種類の配電ダクト連結器でほとんどのレイアウトを満足させることができる。その結果、空間レイアウトに応じたディスプレーが容易にできるようになる。また、配電ダクトの施工が容易であり、デザイン面で配線ダクトと配電ダクト連結器との一体感が表現できるようになるという顕著な効果を奏する。
【発明を実施するための最良の形態】
【００２６】
以下、添付図面を参照しながら本発明の好ましい実施の一形態について詳述する。図１は本発明の実施の形態に係る配電ダクト１の構成を示す説明図であり、図２は配電ダクト１の概略の構成を示す断面図である。
【００２７】
図１と図２とに示すように、本発明の実施の形態に係る長尺の配電ダクト１は、引き抜き加工によるアルミ合金あるいは成形加工によるプラスチックからなる断面概ねコの字状に形成された部材であり、断面コの字状の相対向する２つの内面に絶縁材１ａ(図２)を介して平行に設けられた１対の導電部１ｂと、導電部１ｂを配電ダクト１の外から臨む開口部１ｃと、配電ダクト１に適合する配電具３(図２)に備えられた係止突起３ｂに係合可能な係合部１ｄとを備えており、配電具３の一対の端子３ａが導電部１ｂと電気的に接触した状態で、配電具３を配電ダクト１に固定することができるように構成されている。
【００２８】
また、この配電ダクト１には、配電具３として電気コードを介して配電ダクト１から給電を受ける照明器具の配電具や、配電ダクト１に直接固定される照明器具の配電具などが、図２に示す要領で長手方向にわたって任意の数だけ取り付けられるように構成されている。
【００２９】
それ故、この配電ダクト１は、図略の電源に接続される導電部１ｂから、複数の種々の電気器具の配電具３に電力を供給することができるようになっている。
【００３０】
図３〜図５は本発明の実施の形態に係る配電ダクト連結器２の構成を示す説明図であり、図３は、配電ダクト連結器２の概略の構成を示す平面図を、図４は、図３の一方の側面図を、図５は、図３のもう一方の側面図を、それぞれ示している。
【００３１】
本発明の実施の形態に係る配電ダクト連結器２は、２つの上記長尺の配電ダクト１を連結するとともに、配電ダクト１の内側に設けられた相対向する１対の長尺の導電部１ｂ同士を電気的に中継する器具である。この配電ダクト連結器２は、図３〜図５に示すように、１対のアーム部４と、関節部５と、この関節部５の角度に応じて２つの配電ダクト１の対応する導電部１ｂを角度自在に電気的に中継する導電性の中継路６（図６）とを備えている。
【００３２】
上記１対のアーム部４は、配電ダクト１同士を物理的に連結する合成樹脂からなる概ね矩形の部材である。このアーム部４は、挿入部４ａを先端側に有しており、この挿入部４ａをそれぞれの配電ダクト１の端部に設けられた端部開口１ｅ（図２）に挿入してビス４ｂを調整することによりアーム部４を配電ダクト１の端部に堅固に固定できるように構成されている。
【００３３】
上記関節部５は、これら１対のアーム部４をアーム部４の基端側において角度自在に連結する合成樹脂からなる部材である。この関節部５は、２つのアーム部４それぞれの基端に連設される重なり合う円盤部材５ａ、５ｂを備えており、これら２つの重なり合う円盤部材５ａ、５ｂが、円盤部材５ａ、５ｂの概ね中心に設けられた軸ピン５ｃの周りに回動自在に連結されるように構成されている。
【００３４】
本実施形態では、この円盤部材５ａ、５ｂの直径は、アーム部４の幅以下の大きさになるように設定され、アーム部４は、アーム部４同士の角度が所定の角度として概ね９０度になった状態で互いに当接する当接面４ｃ（図３）をアーム部４の基端に有している。このように、当接面４ｃを設けることにより、円盤部材５ａ、５ｂに対してアーム部４の基端がカットされるので、アーム部４同士の角度をより狭角にすることができる結果、より広い範囲の角度でアーム部４同士を連結することができるようになる。
【００３５】
ここで、図６は、配電ダクト連結器２の中継路６の概略の構成を示す斜視図である。
【００３６】
上記中継路６は、図６に示すように、この関節部５の角度に応じて２つの配電ダクト１の対応する導電部１ｂを角度自在に電気的に中継する導電性の部材である。この中継路６は、ケーシングを形成するアーム部４と関節部５との内部に収納され、導電路７と、接触端子８と、角度自在路９とを有している。
【００３７】
ここで、導電路７は、導電性の金属の板を曲折して構成された舌状の導電部分であり、配電ダクト１の１つの導電部１ｂに対して１つずつ設けられている。
【００３８】
また、接触端子８は、導電路７の先端側にそれぞれ設けられ、配電ダクト１の導電部１ｂに電気的に接触するように構成されている。この接触端子８は、導電路７が板状に形成されているので、導電部１ｂに弾力的に接触するようになっている。
【００３９】
また、角度自在路９は、２つのアーム部４の対応する導電路７同士をそれぞれ角度自在に電気的に接続する導電部分である。
【００４０】
この角度自在路９は、具体的には、円盤部材５ａ、５ｂの軸ピン５ｃの周りに回動自在な互いに重なる導電性の摺動板９ａ、９ｂの組、と摺動板９ｃ、９ｄの組とを接続される導電路７の基端に備えている。そして、互いに電気的に接続される一方の摺動板９ａ、９ｂの組は、互いに電気的に接続される他方の摺動板９ｃ、９ｄの組から絶縁部材９ｅを介して電気的に絶縁されている。
【００４１】
次に図1と図６と図７とを参照して、本発明の実施の形態に係る配電ダクト連結器２の作用について説明する。
【００４２】
図７は、配電ダクト１の端部開口１ｅ部に配電ダクト連結器２の挿入部４ａが挿入された状態を示す説明図である。
【００４３】
本発明の実施の形態に係る配電ダクト１と配電ダクト連結器２とにおいては、図７に示すように、アーム部４の挿入部４ａが配電ダクト１の端部開口１ｅに挿入され、ビス４ｂが調整されることによりアーム部４が配電ダクト１の端部に堅固に固定され、接触端子８が、配電ダクト１の導電部１ｂに電気的に接触する。
【００４４】
そして、関節部５の重なり合う円盤部材５ａ、５ｂが、軸ピン５ｃの周りに回動自在に連結され、図１に示すように、配電ダクト１同士が角度自在に連結される。
【００４５】
この時、図６に示すように導電路７の基端側に設けられた互いに重なる導電性の摺動板９ａ、９ｂ、９ｃ、９ｄが、軸ピン５ｃの周りに回動自在に電気的に接続されることにより、配電ダクト１の導電部１ｂ同士が電気的に中継される。
【００４６】
そして、配電ダクト１の導電部１ｂが図略の電源に接続されるとともに、照明器具の配電具３が、長手方向にわたって任意の数だけ配電ダクト１に取り付けられることにより、照明器具の種々の配電具３に電力が供給されるようになる。
【００４７】
以上説明したように、本発明の実施の形態に係る配電ダクト連結器２とこのような配電ダクト連結器２を備えた配電ダクト１によれば、関節部５が、１対のアーム部４を角度自在に連結するとともに、導電性の中継路６が、関節部５の角度に応じて２つの配電ダクト１の対応する導電部１ｂを角度自在に電気的に中継するので、配電ダクト１同士の角度が任意に設定でき、1種類の配電ダクト連結器２でほとんどのレイアウトを満足させることができる。その結果、空間レイアウトに応じたディスプレーが容易にできるようになる。
【００４８】
また、アーム部４の先端側に設けられた挿入部４ａをそれぞれの配電ダクト１の端部に設けられた端部開口１ｅに挿入して配電ダクト１同士を連結するので、配電ダクト１の施工が容易であり、デザイン面で配線ダクトと配電ダクト連結器２との一体感が表現できるようになる。
【００４９】
さらに、アーム部４同士の角度が所定の角度になった状態で互いに当接する当接面４ｃがアーム部４の基端に設けられているので、配電ダクト１同士を所定の角度になった状態で連結することが容易になる結果、配電ダクト１の施工がより容易になる。また、デザイン面で配線ダクトと配電ダクト連結器２との一体感をより効果的に表現することができるようになる。
【００５０】
そして、円盤部材５ａ、５ｂの軸ピン５ｃの周りに回動自在な互いに重なる導電性の摺動板９ａ、９ｂ、９ｃ、９ｄを設けるという簡単な構成で、金属疲労の無い信頼性の高い角度自在路９を実現することができる。
【００５１】
上述した実施の形態は本発明の好ましい具体例を例示したものに過ぎず、本発明は上述した実施の形態に限定されない。
【００５２】
例えば、長尺の配電ダクト１は、引き抜き加工によるアルミ合金製のものや成形加工によるプラスチック製のものに限定されない。その他の材料が採用可能である。
【００５３】
また、配電ダクト１に取り付けられる配電具３は、照明器具の配電具３だけに限定されない。配電ダクト１に直接固定されるその他の電気器具の配電具３や電気コードを介して配電ダクト１から給電を受けるその他の電気器具の配電具３に対しても適用可能である。
【００５４】
また、関節部５において、アーム部４同士の角度を所定の角度以内に規制する構成としては、互いに当接する当接面４ｃをアーム部４の基端に有するものに限定されない。
【００５５】
図８は、変形例にかかる配電ダクト連結器２２の概略の構成を示す斜視図である。図８に示すように、変形例にかかる配電ダクト連結器２２においては、円盤部材２５ａ、２５ｂの直径が、アーム部２４の幅以上の大きさになるように設定されるとともに、アーム部２４同士の角度が所定の角度として概ね９０度になった状態でアーム部２４の基端２４ｃ同士が互いに当接するように円盤部材２５ａ、２５ｂの直径とアーム部２４の幅との比が設定されている。
【００５６】
このようにすれば、円盤部材２５ａ、２５ｂの直径とアーム部２４の幅との比が、アーム部２４同士の角度が所定の角度になった状態でアーム部２４の基端２４ｃ同士が互いに当接するように設定されているので、配電ダクト１同士を所定の角度になった状態で連結することが容易になる結果、配電ダクト１の施工がより容易になる。また、デザイン面で配線ダクトと配電ダクト連結器２との一体感をより効果的に表現することができるようになる。
【００５７】
また、中継路６においても、角度自在路９は、互いに重なる導電性の摺動板９ａ、９ｂの組、と摺動板９ｃ、９ｄの組とを備えたものに限定されない。
【００５８】
図９は、変形例にかかる中継路２６の概略の構成を示す斜視図である。図９に示すように、変形例にかかる中継路２６は、角度自在路２９として接続する導電路２７の基端同士を電気的に接続するフレキシブルリード線２９ａ、２９ｂを備えている。
【００５９】
このようにすれば、接続する導電路２７の基端同士をフレキシブルリード線２９ａ、２９ｂで電気的に接続するという簡単な構成で角度自在路２９を実現することができる。
【００６０】
また、配電ダクト連結器は、２つの配電ダクトの内側に設けられた長尺のアース部同士を電気的に中継するアース部連結部をさらに備えるように構成されることも可能である。図１０〜図１３は、変形例にかかる配電ダクト連結器３２の概略の構成を示す説明図であり、図１０は、変形例にかかる配電ダクト３１の概略の断面図を示している。また、図１１は、変形例にかかる配電ダクト連結器３２の概略の構成を示す平面図を、図１２は、図１１の一方の側面図を示している。また、図１３は、配電ダクト３１の端部開口３１ｅ部に配電ダクト連結器３２の挿入部４ａが挿入された状態を示す説明図である。
【００６１】
図１０に示すように、変形例にかかる配電ダクト３１は、断面概ねコの字状に形成された部材において配電ダクト３１の内側に絶縁材３１ａを介して設けられた長尺のアース部３１ｂを備えている。そして、配電具３３の一対の端子３ａとアース部３ｃとが導電部１ｂとアース部３１ｂとにそれぞれ電気的に接触した状態で、配電具３３が配電ダクト３１に固定されるように構成されている。
【００６２】
ここで、配電ダクト連結器３２は、図１１〜図１３に示すように、２つの配電ダクト３１の内側に設けられた長尺のアース部３１ｂ（図１０）同士を電気的に中継するアース部連結部３６をさらに備えている。
【００６３】
このアース連結部３６は、アーム部ごとに１つずつ設けられたアース導電路３７と、アース導電路３７の先端側にそれぞれ設けられ、配電ダクト３１の端部開口に挿入部４ａを固定するビス４ｂを介して配電ダクト３１のアース部３１ｂとアーム部４のアース導電路３７とを電気的に接続するアース接触部３８と、関節部５においてそれぞれのアース導電路３７の基端側に設けられ、２つのアーム部４の対応するアース導電路３７同士をそれぞれ角度自在に電気的に接続する角度自在アース路３９とを有している。
【００６４】
そして、角度自在アース路３９は、接続されるアース導電路３７の基端のそれぞれに設けられ、円盤部材５ａ、５ｂに設けられたアース軸ピン３９ｃの周りに回動自在な互いに重なる導電性のアース摺動板３９ａ、３９ｂを備えている。
【００６５】
このようにすれば、アース部連結部３６のアース導電路３７と、アース接触部３８と、角度自在アース路３９とにより、２つの配電ダクト３１の内側に設けられた長尺のアース部３１ｂ同士を電気的に中継することができるので、電気器具の安全性をより高めることができるとともに、配電ダクトのアースの施工が容易である。
【００６６】
その他、本発明の特許請求の範囲内で種々の設計変更が可能であることはいうまでもない。
【図面の簡単な説明】
【００６７】
【図１】本発明の実施の形態に係る配電ダクトの構成を示す説明図である。
【図２】配電ダクトの概略の構成を示す断面図である。
【図３】配電ダクト連結器の概略の構成を示す平面図である。
【図４】図３の一方の側面図である。
【図５】図３のもう一方の側面図である。
【図６】配電ダクト連結器の中継路の概略の構成を示す斜視図である。
【図７】配電ダクトの端部開口部に配電ダクト連結器の挿入部が挿入された状態を示す説明図である。
【図８】変形例にかかる配電ダクト連結器の概略の構成を示す斜視図である。
【図９】変形例にかかる中継路の概略の構成を示す斜視図である。
【図１０】変形例にかかる配電ダクトの概略の断面図である。
【図１１】変形例にかかる配電ダクト連結器の概略の構成を示す平面図である。
【図１２】図１１の一方の側面図を示している。
【図１３】配電ダクトの端部開口部に配電ダクト連結器の挿入部が挿入された状態を示す説明図である。
【図１４】従来の配電ダクト連結器の一例を示す説明図であり、（ａ）は、連結角度が９０度になる配電ダクト連結器、（ｂ）は、連結角度が１８０度になる配電ダクト連結器をそれぞれ示している。
【図１５】連結角度が任意にできるフレキシブルカバーを備えた従来の配電ダクト連結器の一例を示す説明図でる。
【図１６】連結角度が任意にできる関節部を備えた従来の配電ダクト連結器を示す説明図である。
【符号の説明】
【００６８】
１    配電ダクト
１ｂ  導電部
１ｅ  端部開口
２    配電ダクト連結器
４    アーム部
４ａ  挿入部
４ｂ  ビス
４ｃ  当接面
５    関節部
５ａ、５ｂ  円盤部材
５ｃ  軸ピン
６    中継路
７    導電路
８    接触端子
９    角度自在路
９ａ、９ｂ、９ｃ、９ｄ  摺動板
９ｅ  絶縁部材
２９ａ、２９ｂ  フレキシブルリード線
３１ｂ  アース部
３６  アース部連結部
３７  アース導電路
３８  アース接触部
３９  角度自在アース路
【図１】
2008130317.tif 000003
【図２】
2008130317.tif 000004
【図３】
2008130317.tif 000005
【図４】
2008130317.tif 000006
【図５】
2008130317.tif 000007
【図６】
2008130317.tif 000008
【図７】
2008130317.tif 000009
【図８】
2008130317.tif 000010
【図９】
2008130317.tif 000011
【図１０】
2008130317.tif 000012
【図１１】
2008130317.tif 000013
【図１２】
2008130317.tif 000014
【図１３】
2008130317.tif 000015
【図１４】
2008130317.tif 000016
【図１５】
2008130317.tif 000017
【図１６】
2008130317.tif 000018